(57)【要約】  エンジン始動制御の開始後、第２クラッチのスリップ極性がマイナススリップに移行するとき、ショックの発生を防止すること。  ハイブリッド車両の制御装置は、エンジン（１）と、モータジェネレータ（２）と、第１クラッチ（４）と、第２クラッチ（５）と、エンジン始動制御手段（図１１）と、を備える。第１クラッチ（４）は、エンジン（１）とモータジェネレータ（２）の間に介装される。第２クラッチ（５）は、モータジェネレータ（２）とタイヤ（７，７）の間に介装される。エンジン始動制御手段（図１１）は、エンジン始動制御の開始後、第２クラッチ（５）のスリップ極性がプラススリップからマイナススリップへ移行したかどうかを検知または予測するマイナススリップ検知/予測部（ステップS511）と、第２クラッチ（５）のマイナススリップへの移行が検知または予測されると、第２クラッチ（５）を完全締結状態としてエンジンを始動する強制バックアップ始動制御部（ステップS514〜ステップS519）と、を有する。
2013062124.tif 000002
【特許請求の範囲】
【請求項１】
エンジンと、
モータと、
前記エンジンと前記モータの間に介装される第１クラッチと、
前記モータと駆動輪の間に介装される第２クラッチと、
前記第１クラッチを開放した電気自動車モードでの走行中において、アクセル操作によりハイブリッド車モードへのモード遷移要求があると、エンジン始動制御を開始し、前記第２クラッチのスリップ締結を判定した後、前記第１クラッチの締結を開始し、前記モータをスタータモータとして前記エンジンを始動するエンジン始動制御手段と、を備え、
前記エンジン始動制御手段は、前記エンジン始動制御の開始後、前記第２クラッチのスリップ極性がプラススリップからマイナススリップへ移行したかどうかを検知または予測するマイナススリップ検知/予測部と、前記第２クラッチのマイナススリップへの移行が検知または予測されると、前記第２クラッチを完全締結状態として前記エンジンを始動する強制バックアップ始動制御部と、を有する
ことを特徴とするハイブリッド車両の制御装置。
【請求項２】
請求項１に記載されたハイブリッド車両の制御装置において、
前記強制バックアップ始動制御部は、前記第２クラッチを完全締結状態として前記エンジンを始動する際、ドライバーからの駆動力要求が減速度要求であるとき、クランキング状態における前記第１クラッチへの伝達トルクを相殺する前記モータからのカウンタートルクを、前記第１クラッチへの伝達トルクよりも小さくする
ことを特徴とするハイブリッド車両の制御装置。
【請求項３】
請求項１または２に記載されたハイブリッド車両の制御装置において、
前記強制バックアップ始動制御部は、前記第２クラッチを完全締結状態として前記エンジンを始動する際、ドライバーからの駆動力要求が減速度要求であるとき、前記第１クラッチを締結させる締結トルク指令に変化率制限を設ける
ことを特徴とするハイブリッド車両の制御装置。
【請求項４】
請求項１から３までの何れか１項に記載されたハイブリッド車両の制御装置において、
前記マイナススリップ検知/予測部は、前記第２クラッチへの入力回転数である前記モータのモータ回転数が、前記エンジンをクランキングするのに必要なトルクを出力できなくなる所定回転数以上に達すると、前記第２クラッチのスリップ極性がマイナススリップになると予測する
ことを特徴とするハイブリッド車両の制御装置。
【発明の詳細な説明】
【技術分野】
【０００１】
本発明は、１モータ・２クラッチのパワートレーン系にてエンジン始動制御を行うハイブリッド車両の制御装置に関する。
【背景技術】
【０００２】
従来、１モータ・２クラッチのパワートレーン系を持つハイブリッド車両において、第１クラッチCL1を開放した電気自動車モードによる走行中にハイブリッド車モードへのモード遷移要求があったとき、第２クラッチCL2をスリップ締結した後、第１クラッチCL1の締結を開始し、モータをスタータモータとしてエンジンを始動するものが知られている（例えば、特許文献１参照）。なお、以下の説明において、電気自動車モードを「EVモード」といい、ハイブリッド車モードを「HEVモード」という。
【先行技術文献】
【特許文献】
【０００３】
【特許文献１】特開２００８−１７９２８３号公報
【発明の概要】
【発明が解決しようとする課題】
【０００４】
しかしながら、従来のハイブリッド車両の制御装置にあっては、エンジン始動制御の開始した後、第２クラッチのスリップ極性がプラススリップからマイナススリップに移行した場合、下記に述べるような問題があった。
(a) エンジン始動終了後、マイナススリップ状態の第２クラッチを締結する時、減速Ｇが急変する引き込みショックが発生する。
(b) マイナススリップからプラススリップへ差回転が逆転するとき、第２クラッチが差回転の無い締結状態になり、一瞬だけ変動トルクが第２クラッチを介して伝達されることでショックが発生する。【０００５】
特に、第２クラッチのスリップ極性がマイナススリップになるのは、ドライバーによる駆動要求がないようなショックを感じやすい状況であるため、スリップ極性の変化を原因として唐突に発生するショックに対する低減要求が高い。
ここで、「プラススリップ」とは、第２クラッチの入力回転数が出力回転数より高い差回転状態をいい、「マイナススリップ」とは、逆に第２クラッチの出力回転数が入力回転数より高い差回転状態をいう。【０００６】
本発明は、上記問題に着目してなされたもので、エンジン始動制御の開始後、第２クラッチのスリップ極性がマイナススリップに移行するとき、ショックの発生を防止することができるハイブリッド車両の制御装置を提供することを目的とする。
【課題を解決するための手段】
【０００７】
上記目的を達成するため、本発明のハイブリッド車両の制御装置は、エンジンと、モータと、第１クラッチと、第２クラッチと、エンジン始動制御手段と、を備える。
前記第１クラッチは、前記エンジンと前記モータの間に介装される。
前記第２クラッチは、前記モータと駆動輪の間に介装される。
前記エンジン始動制御手段は、前記第１クラッチを開放した電気自動車モードでの走行中において、アクセル操作によりハイブリッド車モードへのモード遷移要求があると、エンジン始動制御を開始し、前記第２クラッチのスリップ締結を判定した後、前記第１クラッチの締結を開始し、前記モータをスタータモータとして前記エンジンを始動する。
前記エンジン始動制御手段には、マイナススリップ検知/予測部と、強制バックアップ始動制御部と、を有する。
前記マイナススリップ検知/予測部は、前記エンジン始動制御の開始後、前記第２クラッチのスリップ極性がプラススリップからマイナススリップへ移行したかどうかを検知または予測する。
前記強制バックアップ始動制御部は、前記第２クラッチのマイナススリップへの移行が検知または予測されると、前記第２クラッチを完全締結状態として前記エンジンを始動する。
【発明の効果】
【０００８】
よって、第１クラッチを開放した電気自動車モードでの走行中にハイブリッド車モードへのモード遷移要求があると、エンジン始動制御を開始し、第２クラッチのスリップ締結を維持しながらエンジン始動される。そして、エンジン始動制御の開始後、マイナススリップ検知/予測部において、第２クラッチのマイナススリップへの移行が検知または予測されると、強制バックアップ始動制御部において、第２クラッチを完全締結状態としてエンジンが始動される。
すなわち、アクセル操作により第２クラッチのスリップ極性がプラススリップ状態でエンジン始動制御が開始される。しかし、エンジン始動制御の開始後、第２クラッチのスリップ極性がマイナススリップになるのが検知または予測されると、第２クラッチを完全締結状態として差回転を無くしての強制バックアップ始動制御が開始される。この強制バックアップ始動制御では、第２クラッチのスリップ極性が変化しない状態（完全締結状態）とされるため、スリップ極性の変化を原因として発生するショックが防止される。
この結果、エンジン始動制御の開始後、第２クラッチのスリップ極性がマイナススリップに移行するとき、ショックの発生を防止することができる。
【図面の簡単な説明】
【０００９】
【図１】実施例１の制御装置が適用されたハイブリッド車両のパワートレーン系を示すパワートレーン系構成図である。
【図２】実施例１の制御装置が適用されたハイブリッド車両の制御システムを示す制御システム構成図である。
【図３】実施例１の統合コントローラを示す演算ブロック図である。
【図４】実施例１の制御装置で用いられる定常目標トルクマップ(a)とMGアシスト駆動力マップ(b)を示すマップ図である。
【図５】実施例１の制御装置で用いられるエンジン始動停止線マップを示すマップ図である。
【図６】実施例１の制御装置で用いられるバッテリSOCに対する走行中要求発電出力を示す特性図である。
【図７】実施例１の制御装置で用いられるエンジンの最良燃費線を示す特性図である。
【図８】実施例１の自動変速機における変速線の一例を示す変速マップ図である。
【図９】実施例１の統合コントローラにて実行される統合制御演算処理の構成および流れを示すフローチャートである。
【図１０】図９のステップS04にて実行される目標走行モード演算処理での目標走行モード遷移の一例を示す目標走行モード図である。
【図１１】実施例１の統合コントローラにて実行されるEV→HEVモード遷移要求時におけるエンジン始動制御演算処理の流れを示すフローチャートである。
【図１２】実施例１においてEV走行からエンジン始動制御を介してHEV走行に移行するときのエンジン始動状態・エンジン回転数・モータ回転数・クラッチ１締結トルク・クラッチ２容量/締結指令・クラッチ２差回転・モータトルク・ドライバー要求駆動力の各特性を示すタイムチャートである。
【図１３】実施例１において第２クラッチの完全締結状態でのクランキングでドライバーから減速要求があるときのエンジン始動状態・モータトルク（カウンタートルク）・クラッチ１への伝達トルク・エンジンフリクション・エンジン回転・モータ回転・前後Ｇの各特性を示すタイムチャートである。
【図１４】実施例２の統合コントローラにて実行されるEV→HEVモード遷移要求時におけるエンジン始動制御演算処理の流れを示すフローチャートである。
【図１５】実施例２のエンジン始動制御演算処理において第２クラッチがマイナススリップになることの予測例を説明するためのモータ回転数とモータトルクの関係を示すモータ出力トルク特性図である。
【発明を実施するための形態】
【００１０】
以下、本発明のハイブリッド車両の制御装置を実現する最良の形態を、図面に示す実施例１及び実施例２に基づいて説明する。
【実施例１】
【００１１】
まず、構成を説明する。
実施例１におけるハイブリッド車両の制御装置の構成を、「パワートレーン系構成」、「制御システム構成」、「統合コントローラの構成」、「統合制御演算処理構成」、「エンジン始動制御演算処理構成」に分けて説明する。【００１２】
［パワートレーン系構成］
図１は、実施例１の制御装置が適用されたハイブリッド車両のパワートレーン系を示す。以下、図１に基づき、パワートレーン系構成を説明する。【００１３】
実施例１のハイブリッド車両のパワートレーン系は、図１に示すように、エンジン１と、モータジェネレータ２（モータ）と、自動変速機３と、第１クラッチ４と、第２クラッチ５と、ディファレンシャルギア６と、タイヤ７，７（駆動輪）と、を備えている。【００１４】
実施例１のハイブリッド車両は、エンジンと１モータ・２クラッチを備えたパワートレーン系構成であり、走行モードとして、第１クラッチ４の締結による「HEVモード」と、第１クラッチ４の開放による「EVモード」と、第２クラッチ５をスリップ締結状態にして走行する「WSCモード」と、を有する。【００１５】
前記エンジン１は、その出力軸とモータジェネレータ２（略称MG）の入力軸とが、トルク容量可変の第１クラッチ４（略称CL1）を介して連結される。【００１６】
前記モータジェネレータ２は、その出力軸と自動変速機３（略称AT）の入力軸とが連結される。【００１７】
前記自動変速機３は、複数段の変速段を有する変速機であり、その出力軸にディファレンシャルギア６を介してタイヤ７、７が連結される。この自動変速機３は、車速VSPとアクセル開度APOに応じて変速段を自動選択する自動変速、または、ドライバーの選択する変速段を選択するマニュアル変速を行う。【００１８】
前記第２クラッチ４（略称CL2）は、自動変速機３のシフト状態に応じて異なる変速機内の動力伝達を担っているトルク容量可変のクラッチ・ブレーキによる締結要素のうち、１つを用いている。これにより自動変速機３は、第１クラッチ４を介して入力されるエンジン１の動力と、モータジェネレータ２から入力される動力を合成してタイヤ７、７へ出力する。【００１９】
前記第１クラッチ４と前記第２クラッチ５には、例えば、比例ソレノイドで油流量および油圧を連続的に制御できる乾式多板クラッチや湿式多板クラッチ等を用いればよい。このパワートレーン系には、第１クラッチ４の接続状態に応じて２つの運転モードがあり、第１クラッチ４の切断状態では、モータジェネレータ２の動力のみで走行する「EVモード」であり、第１クラッチ４の接続状態では、エンジン１とモータジェネレータ２の動力で走行する「HEVモード」である。【００２０】
そして、パワートレーン系には、第１クラッチ４の入力回転数を検出するCL1インプット回転センサ１０と、第１クラッチ４の出力回転数（＝CL2入力回転数＝モータ回転数）を検出するCL1アウトプット回転センサ１１と、第２クラッチ５の出力回転数を検出するCL2アウトプット回転センサ１２と、自動変速機３の出力軸回転数を検出するAT出力回転センサ１３と、が設けられる。【００２１】
［制御システム構成］
図２は、実施例１の制御装置が適用されたハイブリッド車両の制御システムを示す。以下、図２に基づいて、制御システム構成を説明する。【００２２】
実施例１の制御システムは、図２に示すように、統合コントローラ２０と、エンジンコントローラ２１と、モータコントローラ２２と、インバータ８と、バッテリ９と、ソレノイドバルブ１４と、ソレノイドバルブ１５と、アクセル開度センサ１７と、CL1ストロークセンサ２３と、SOCセンサ１６と、変速モード選択スイッチ２４と、を備えている。【００２３】
前記統合コントローラ２０は、パワートレーン系構成要素の動作点を統合制御する。この統合コントローラ２０では、アクセル開度APOとバッテリ充電状態SOCと、車速VSP（自動変速機出力軸回転数に比例）と、に応じて、運転者が望む駆動力を実現できる運転モードを選択する。そして、モータコントローラ２２に目標MGトルクもしくは目標MG回転数を指令し、エンジンコントローラ２１に目標エンジントルクを指令し、ソレノイドバルブ１４、１５に駆動信号を指令する。【００２４】
前記エンジンコントローラ２１は、エンジン１を制御する。前記モータコントローラ２２は、モータジェネレータ２を制御する。前記インバータ８は、モータジェネレータ２を駆動する。前記バッテリ９は、電気エネルギーを蓄える。前記ソレノイドバルブ１４は、第１クラッチ４の油圧を制御する。前記ソレノイドバルブ１５は、第２クラッチ５の油圧を制御する。前記アクセル開度センサ１７は、アクセル開度(APO)を検出する。前記CL1ストロークセンサ２３は、第１クラッチ４(CL1)のクラッチピストンのストロークを検出する。前記SOCセンサ１６は、バッテリ９の充電状態を検出する。前記変速モード選択スイッチ２４は、車速VSPとアクセル開度APOに応じて変速段を自動選択する自動変速モードと、ドライバーの選択する変速段を選択するマニュアル変速モードと、を切り替える。【００２５】
［統合コントローラの構成］
図３は、実施例１の統合コントローラ２０を示す演算ブロック図である。以下、図３〜図８に基づいて、統合コントローラ２０の構成を説明する。【００２６】
前記統合コントローラ２０は、図３に示すように、目標駆動力演算部100と、モード選択部200と、目標発電出力演算部300と、動作点指令部400と、変速制御部500と、を備えている。【００２７】
前記目標駆動力演算部100は、図４(a)に示す目標定常駆動力マップと、図４(b)に示すMGアシスト駆動力マップを用いて、アクセル開度APOと車速VSPから、目標定常駆動力とMGアシスト駆動力を算出する。【００２８】
前記モード選択部200は、図５に示す車速毎のアクセル開度で設定されているエンジン始動停止線マップを用いて、運転モード（HEVモード、EVモード）を演算する。エンジン始動線とエンジン停止線は、エンジン始動線（SOC高、SOC低）とエンジン停止線（SOC高、SOC低）の特性に代表されるように、バッテリSOCが低くなるにつれて、アクセル開度APOが小さくなる方向に低下する特性として設定されている。【００２９】
前記目標発電出力演算部300は、図６に示す走行中発電要求出力マップを用いて、バッテリSOCから目標発電出力を演算する。また、現在の動作点から図７で示す最良燃費線までエンジントルクを上げるために必要な出力を演算し、前記目標発電出力と比較して少ない出力を要求出力として、エンジン出力に加算する。【００３０】
前記動作点指令部400では、アクセル開度APOと目標定常駆動力、MGアシスト駆動力と目標モードと車速VSPと要求発電出力とを入力する。そして、これらの入力情報を動作点到達目標として、過渡的な目標エンジントルクと目標MGトルクと目標CL2トルク容量と目標変速比とCL1ソレノイド電流指令を演算する。【００３１】
前記変速制御部500は、目標CL2トルク容量と目標変速比とから、これらを達成するように自動変速機３内のソレノイドバルブを駆動制御する。図８に変速制御で用いられる変速線マップの一例を示す。車速VSPとアクセル開度APOから現在の変速段から次変速段をいくつにするか判定し、変速要求があれば変速クラッチを制御して変速させる。【００３２】
［統合制御演算処理構成］
図９は、実施例１の統合コントローラ２０にて実行される統合制御演算処理の流れを示す。以下、図９及び図１０に基づいて、統合制御演算処理構成を説明する。【００３３】
ステップS01では、各コントローラからデータを受信し、次のステップS02では、センサ値を読み込み、後の演算に必要な情報を取り込む。【００３４】
ステップS03では、ステップS02でのセンサ値読み込みに続き、車速VSP、アクセル開度APO、ブレーキ制動力に応じて目標駆動力を演算し、ステップS04へ進む。【００３５】
ステップS04では、ステップS03での目標駆動力の演算に続き、目標駆動力、バッテリSOC、アクセル開度APO、車速VSP、路面勾配、等の車両状態に応じて、目標走行モードを選択し、ステップS06へ進む。
参考として、図１０に「EVモード」と「HEVモード」と「WSCモード」を互いに遷移する目標走行モードの抜粋を示す。このステップS04の演算で、「EVモード」から「HEVモード」または「WSCモード」へのモード遷移を選択した場合にエンジン始動を実施する。【００３６】
ステップS05では、ステップS04での目標走行モード演算に続き、例えば、エンジン始動時の第１クラッチ４(CL1)，第２クラッチ５(CL2)の状態に応じて、モータ制御モード、エンジン起動タイミングを選択するというように、各走行モードのモード遷移要求があったときに過渡走行モードの演算を行い、ステップS07へ進む。
ここで、この過渡走行モードの演算には、「EVモード」から「HEVモード」へのモード遷移要求に基づくエンジン始動制御演算処理が含まれる（図１１参照）。【００３７】
ステップS06では、ステップS05での過渡走行モード演算に続き、ステップS05で決めた走行モード状態及びモータ制御状態に合わせて、目標入力回転数を演算し、ステップS08へ進む。【００３８】
ステップS07では、ステップS06での目標入力回転数演算に続き、目標駆動力及び各種デバイスの保護を考慮した目標入力トルクを演算し、ステップS08へ進む。【００３９】
ステップS08では、ステップS07での目標入力トルク演算に続き、ステップS07で算出した目標入力トルク及び発電要求を考慮し、エンジン１とモータジェネレータ２へのトルク配分を決め、それぞれの目標値を算出し、ステップS09へ進む。【００４０】
ステップS09では、ステップS08での目標エンジントルク／モータトルク演算に続き、ステップS05の過渡走行モード演算で決めた指令に応じて、第１クラッチ４(CL1)の目標クラッチトルク容量を演算し、ステップS10へ進む。【００４１】
ステップS10では、ステップS09での目標クラッチ１トルク容量演算に続き、ステップS05で決めた走行モード状態、CL2スリップ回転数に応じて、第２クラッチ５(CL2)の目標クラッチトルク容量を演算し、ステップS11へ進む。【００４２】
ステップS11では、ステップS10での目標クラッチ２トルク容量演算に続き、各コントローラへデータを送信し、エンドへ進む。【００４３】
［エンジン始動制御演算処理構成］
図１１は、実施例１の統合コントローラ２０にて実行されるEV→HEVモード遷移要求時におけるエンジン始動制御演算処理の流れを示す（エンジン始動制御手段）。以下、図１１に基づき、エンジン始動制御演算処理構成を説明する。
なお、エンジン始動制御演算処理は、EV走行中において、目標駆動力（ステップS03）が正トルク、かつ、アクセル操作（アクセル開度APO＞０）されたことで、「HEVモード」へのモード遷移要求が出されたときに開始される。【００４４】
ステップS511では、EV→HEVモード遷移要求、あるいは、ステップS513でのエンジン始動制御中であるとの判断に続き、強制バックアップ始動条件が成立したか否かを判断する。YES（強制バックアップ始動条件成立）の場合はステップS514へ進み、NO（強制バックアップ始動条件不成立）の場合はステップS512へ進む（マイナススリップ検知/予測部）。
ここで、実施例１における強制バックアップ始動条件は、
(a) マニュアル変速モードでの第１速選択時
条件(a)は、第２クラッチ５の入力回転数が高回転になる条件として加えている。
(b) 第２クラッチ５のマイナススリップ検知時
条件(b)は、第２クラッチ５のスリップ量（差回転）を、自動変速機３の入力回転数と出力回転数の差と、第１速のギア比と、から求め、スリップ量がマイナススリップ判定値（差回転判定値）を下回るとマイナススリップであると検知する主たる条件である。
(c) 車速≧設定値
条件(c)は、低車速域（車速＜設定値）で強制バックアップ始動を行うと押し出しの懸念があるため、これを防止するために加えた条件である。設定値は、強制バックアップ始動許可する車速値に設定する。
という３条件であり、３条件を共に満足するとき、強制バックアップ始動条件成立と判断する。【００４５】
ステップS512では、ステップS511での強制バックアップ始動条件不成立であるとの判断に続き、通常のエンジン始動制御（第２クラッチ５をスリップ状態としてのエンジン始動）を実行し、ステップS513へ進む。【００４６】
ステップS513では、ステップS512での通常のエンジン始動制御に続き、エンジン始動制御が終了したか否かを判断する。YES（エンジン始動制御終了）の場合はエンドへ進み、NO（エンジン始動制御中）の場合はステップS511へ戻る。【００４７】
ステップS514では、ステップS511での強制バックアップ始動条件成立であるとの判断に続き、第２クラッチ５を完全締結状態とし、ステップS515へ進む。【００４８】
ステップS515では、ステップS514での第２クラッチ完全締結に続き、ドライバーからの駆動力要求は負側の駆動力（減速要求）であるか否かを判断する。YES（ドライバー減速要求有り）の場合はステップS516へ進み、NO（ドライバー減速要求無し）の場合はステップS518へ進む。
ここで、ドライバーからの駆動力要求は、アクセル開度APOの変化方向を監視することで行い、アクセル踏み込み操作直後のアクセル戻し操作やアクセル足離し操作により、アクセル開度APOが減少方向であるときは、ドライバー減速要求有りと判断する。一方、アクセル踏み込み量を保持する操作やアクセル踏み増し操作により、アクセル開度APOが維持されたとき、あるいは、アクセル開度APOが増加方向であるときは、ドライバー減速要求無しと判断する。【００４９】
ステップS516では、ステップS515でのドライバー減速要求有りとの判断に続き、モータジェネレータ２が出力するカウンタートルクを、第１クラッチ４の伝達トルク（エンジンフリクション，イナーシャトルク）より小さくし、ステップS57へ進む。
ここで、カウンタートルクとは、クランキング時の第１クラッチ４の伝達トルク（＝入力トルク）を相殺する反力トルクのことをいう。【００５０】
ステップS517では、ステップS516での第１クラッチ４の伝達トルクより小さいカウンタートルクの出力に続き、第２クラッチ５を完全締結させるときに第１クラッチ４を締結する締結トルク指令に変化率制限を設けてエンジン１をクランキングし、エンジン１の始動が完了したらエンドへ進む。【００５１】
ステップS518では、ステップS515でのドライバー減速要求無しとの判断に続き、モータジェネレータ２が出力するカウンタートルクを、第１クラッチ４の伝達トルク（エンジンフリクション，イナーシャトルク）より大きくし、ステップS519へ進む。【００５２】
ステップS519では、ステップS518での第１クラッチ４の伝達トルクより大きいカウンタートルクの出力に続き、第２クラッチ５を完全締結させるときに第１クラッチ４を締結する締結トルク指令に変化率制限を付けずエンジン１をクランキングし、エンジン１の始動が完了したらエンドへ進む。
なお、ステップS514〜ステップS519は、強制バックアップ始動制御部に相当する。【００５３】
次に、作用を説明する。
実施例１のハイブリッド車両の制御装置における作用を、「エンジン始動制御演算処理作用」、「強制バックアップ始動制御作用」、「ドライバー減速度要求に対する減速実現作用」に分けて説明する。【００５４】
［エンジン始動制御演算処理作用］
強制バックアップ始動条件が不成立の場合は、図１１のフローチャートにおいて、ステップS511→ステップS512→ステップS513へと進む流れが繰り返される。そして、強制バックアップ始動条件が不成立のままでエンジン始動制御を終了した場合は、図１１のフローチャートにおいて、ステップS511→ステップS512→ステップS513→エンドへと進む。【００５５】
すなわち、強制バックアップ始動条件が不成立のままでエンジン始動制御を終了した場合は、通常のエンジン始動処理が行われる。通常のエンジン始動処理は、「EVモード」の選択状態で図５に示すエンジン始動線をアクセル開度APOが超えると、エンジン始動制御が開始され、第２クラッチ５をスリップ締結させるように第２クラッチ５のトルク容量を制御する。そして、第２クラッチ５のスリップ開始が判定されると第１クラッチ４の締結を開始し、クランキングによりエンジン回転数を上昇させる。そして、エンジン回転数が初爆可能な回転数に達成したらエンジン１を燃焼作動させ、モータ回転数とエンジン回転数が近くなったところで第１クラッチ４を完全に締結する。その後、第２クラッチ５を完全締結（ロックアップ）させて「HEVモード」に遷移させる。【００５６】
一方、エンジン始動制御開始後、強制バックアップ始動条件が不成立との判断から成立との判断へと移行すると、図１１のフローチャートにおいて、ステップS511→ステップS514→ステップS515へと進み、ステップS514では、強制バックアップ始動条件の成立が判断された時点から、第２クラッチ５が完全締結される。【００５７】
次のステップS515においてドライバーからの駆動力要求が減速要求であると判断されると、ステップS515からステップS516→ステップS517→エンドへと進む。ステップS516では、モータジェネレータ２が出力するカウンタートルクが、第１クラッチ４の伝達トルク（エンジンフリクション，イナーシャトルク）より小さくされる。ステップS517では、第１クラッチ４を締結する締結トルク指令に変化率制限を設けてエンジン１がクランキングされ、エンジン１の始動が完了したらエンドへ進む。【００５８】
また、ステップS515においてドライバーからの駆動力要求が減速要求でないと判断されると、ステップS515からステップS518→ステップS519→エンドへと進む。ステップS518では、モータジェネレータ２が出力するカウンタートルクが、第１クラッチ４の伝達トルク（エンジンフリクション，イナーシャトルク）より大きくされる。ステップS519では、第１クラッチ４を締結する締結トルク指令に変化率制限を付けずにエンジン１がクランキングされ、エンジン１の始動が完了したらエンドへ進む。【００５９】
［強制バックアップ始動制御作用］
上記エンジン始動制御演算処理によるエンジン始動制御のうち、強制バックアップ始動制御作用を、図１２に示すタームチャートに基づき説明する。【００６０】
例えば、マニュアル変速モードでの第１速を選択した状態で、アクセル操作せずに下り勾配をEV走行（下り坂でのコースト走行）すると、車速が上昇して第２クラッチ５への入力回転数が高回転数になる。この状態でドライバーがアクセル踏み込み操作を行うと、「HEVモード」へのモード遷移要求が出され、第２クラッチ５への入力回転数が高回転数に達した状態で、第２クラッチ５をスリップ締結してのエンジン始動制御が開始される。【００６１】
このマニュアル変速モード１速でのスリップイン制御時には、第２クラッチ５への入力回転数（＝モータ回転数）が高回転数であり、モータジェネレータ２が出力できる上限トルクが低下する。このため、モータジェネレータ２からのモータ出力トルクが、第１クラッチ４の伝達トルク（エンジンフリクション，イナーシャトルク）に対して不足し、第２クラッチ５への入力回転数が低下する。第２クラッチ５への入力回転数が低下すると、第２クラッチ５の出力回転数が入力回転数を上回ることになり、第２クラッチ５のスリップ極性が、プラススリップからマイナススリップへと移行する。【００６２】
図１２のタイムチャートは、上記のように、エンジン始動制御が開始された後、第２クラッチ５のスリップ極性がプラススリップからマイナススリップに移行するときの各特性を示す。
時刻t1は、ドライバー要求駆動力特性に示すように、EV走行中にドライバーがアクセル踏み込み操作を開始する時刻であり、モータ回転数は高回転数である。時刻t2は、ドライバーのアクセル踏み込み操作により「HEVモード」へのモード遷移要求に基づき、エンジン始動制御が開始される時刻である。この時刻t2では、クラッチ２差回転特性に示すように、第２クラッチ５のスリップ極性はプラススリップである。【００６３】
時刻t3は、エンジン始動制御が開始された時刻t2でのモータ回転数が高回転数に達していることで、第２クラッチ５のスリップ極性がプラススリップからマイナススリップに移行し、マイナススリップが検知された時刻である。この時刻t3では、マイナススリップの検知により強制バックアップ始動条件が成立することで、クラッチ２容量/締結指令特性に示すように、第２クラッチ５が完全締結される。そして、第１クラッチ４は、クラッチ１締結トルク特性に示すように、時刻t3から制限されたCL1トルク変化率によりCL1トルクの上昇を開始する。【００６４】
時刻t4は、クランクアップされたエンジン回転数がモータ回転数に一致する時刻である。時刻t5は、時刻t3から上昇を開始したCL1トルクがクランキングにおいて目標とするCL1トルクに到達し、目標CL1トルクの維持を開始する時刻である。時刻t5の前後の時間域で、エンジン回転数が初爆可能な回転数に達成し、エンジン１を燃焼作動させる。時刻t6は、エンジン１の自立回転に伴い、時刻t2から与えていたモータトルク（カウンタートルク）の低下を開始する時刻である。時刻t7は、第２クラッチ５を完全締結したままでエンジン始動制御が終了した時刻である。時刻t8は、エンジン始動制御の終了時刻t7の直後において、クラッチ１締結トルク特性に示すように、第１クラッチ４を目標CL1トルクから完全締結状態とするトルクまで上昇させる時刻である。【００６５】
上記のように、実施例１では、EV→HEVへのモード遷移要求があったとき、第２クラッチ５をスリップ締結してエンジン始動制御を開始する。そして、エンジン始動制御の開始後、第２クラッチ５のスリップ極性がマイナススリップであると検知されると、第２クラッチ５を完全締結状態として強制バックアップ始動制御を行うようにした。
すなわち、目標駆動力が正トルクかつアクセル操作により第２クラッチ５のスリップ極性がプラススリップ状態でエンジン始動制御が開始される。しかし、エンジン始動制御の開始後、第２クラッチ５のスリップ極性がマイナススリップになったのが検知されると、第２クラッチ５を完全締結状態として強制バックアップ始動制御が開始される。この強制バックアップ始動制御では、第２クラッチ５の差回転を無くすことでスリップ極性の変化が無い状態（完全締結状態）とされるため、スリップ極性の変化（マイナス→ゼロ、マイナス→プラス）を原因として唐突に発生するショックが防止される。【００６６】
実施例１では、第２クラッチ５を完全締結させて強制バックアップ始動制御を行う時であって、ドライバーからの駆動力要求が減速度要求であるとき、第１クラッチ４の締結トルク指令に変化率制限を設けるようにしている。
すなわち、強制バックアップ始動制御を行う時、ドライバーからアクセル戻し操作等により減速度要求があるときには、ドライバーのショック感度が高い。また、第２クラッチ５を完全締結させて強制バックアップ始動制御を行うと、第２クラッチ５のスリップ締結によるエンジン始動ショックの低減効果が得られない。これらの理由により、強制バックアップ始動制御を行う時に減速度要求があると、ショック低減要求が高くなる。
これに対し、第１クラッチ４の締結トルク指令に変化率制限を設けることで、第１クラッチ４の締結容量を超えるトルク成分の伝達が抑えられ、クランキング時に急峻なトルク変動が駆動輪であるタイヤ７，７へ伝達することが緩和される。【００６７】
なお、強制バックアップ始動制御を行う時であって、ドライバーから減速度要求がないときには、減速度要求があるときに比べドライバーのショック感度が低い。このため、ショック防止よりもエンジン始動応答性を優先し、第１クラッチ４の締結トルク指令に変化率制限を付けない。【００６８】
［ドライバー減速度要求に対する減速実現作用］
上記強制バックアップ始動制御においてドライバーが減速度要求したときの要求に対する減速実現作用を、図１３に示すタイムチャートに基づき説明する。【００６９】
図１３において、時刻t2は、ドライバーのアクセル踏み込み操作により「HEVモード」へのモード遷移要求に基づき、エンジン始動制御が開始される時刻である。時刻t4は、クランクアップされたエンジン回転数がモータ回転数に一致する時刻である。時刻t7は、第２クラッチ５を完全締結したままでエンジン始動制御が終了した時刻である。【００７０】
時刻t2から時刻t4の間は、第１クラッチ４への伝達トルク（エンジンフリクション，イナーシャトルク）を相殺するモータジェネレータ２からのカウンタートルクを、第１クラッチ４への伝達トルクよりも小さくしている（図１３のモータトルク特性の領域Ａ）。【００７１】
このように、実施例１では、強制バックアップ始動制御時、ドライバーからの駆動力要求が減速度要求であるとき、クランキング状態における第１クラッチ４への伝達トルクを相殺するモータジェネレータ２からのカウンタートルクを、第１クラッチ４への伝達トルクよりも小さくするようにしている。【００７２】
すなわち、必ず、（第１クラッチ４への伝達トルク）＞（カウンタートルク）とし、カウンタートルクが第１クラッチ４への伝達トルクよりもプラス側に出さないようにしている。このため、第１クラッチ４への伝達トルクとカウンタートルクのトルク差分が、制動トルクとなって駆動系に作用する。したがって、図１３の前後Ｇ特性の領域Ｂに示すように、バラツキを考慮して安定的に前後Ｇを低下させることで（減速Ｇ）、ドライバーの要求減速度が実現される。【００７３】
なお、強制バックアップ始動制御を行う時であって、ドライバーから減速度要求がないときには、減速Ｇが出ないように、（第１クラッチ４への伝達トルク）≦（カウンタートルク）の関係により、モータジェネレータ２からのカウンタートルクを与える（図１２のモータトルク特性の点線特性）。【００７４】
次に、効果を説明する。
実施例１のハイブリッド車両の制御装置にあっては、下記に列挙する効果を得ることができる。【００７５】
(1) エンジン１と、
モータ（モータジェネレータ２）と、
前記エンジン１と前記モータ（モータジェネレータ２）の間に介装される第１クラッチ４と、
前記モータ（モータジェネレータ２）と駆動輪（タイヤ７，７）の間に介装される第２クラッチ５と、
前記第１クラッチ４を開放した電気自動車モード（EVモード）での走行中において、アクセル操作によりハイブリッド車モード（HEVモード）へのモード遷移要求があると、エンジン始動制御を開始し、前記第２クラッチ５のスリップ締結を判定した後、前記第１クラッチ４の締結を開始し、前記モータ（モータジェネレータ２）をスタータモータとして前記エンジン１を始動するエンジン始動制御手段（図１１）と、を備え、
前記エンジン始動制御手段（図１１）は、前記エンジン始動制御の開始後、前記第２クラッチ５のスリップ極性がプラススリップからマイナススリップへ移行したかどうかを検知または予測するマイナススリップ検知/予測部（ステップS511）と、前記第２クラッチ５のマイナススリップへの移行が検知または予測されると、前記第２クラッチ５を完全締結状態として前記エンジンを始動する強制バックアップ始動制御部（ステップS514〜ステップS519）と、を有する。
このため、エンジン始動制御の開始後、第２クラッチ５のスリップ極性がマイナススリップに移行するとき、ショックの発生を防止することができる。【００７６】
(2) 前記強制バックアップ始動制御部（ステップS514〜ステップS519）は、前記第２クラッチ５を完全締結状態として前記エンジン１を始動する際、ドライバーからの駆動力要求が減速度要求であるとき、クランキング状態における前記第１クラッチ４への伝達トルクを相殺する前記モータ（モータジェネレータ２）からのカウンタートルクを、前記第１クラッチ４への伝達トルクよりも小さくする（ステップS516）。
このため、(1)の効果に加え、強制バックアップ始動制御時にドライバーからの駆動力要求が減速度要求であるとき、ドライバー要求の減速度を実現することができる。【００７７】
(3) 前記強制バックアップ始動制御部（ステップS514〜ステップS519）は、前記第２クラッチ５を完全締結状態として前記エンジン１を始動する際、ドライバーからの駆動力要求が減速度要求であるとき、前記第１クラッチ４を締結させる締結トルク指令に変化率制限を設ける（ステップS517）。
このため、(1)または(2)の効果に加え、強制バックアップ始動制御時にドライバーからの駆動力要求が減速度要求であるとき、クランキング時に急峻なトルク変動が駆動輪（タイヤ７，７）へ伝達することを緩和できる。
【実施例２】
【００７８】
実施例２は、強制バックアップ始動制御中、モータ回転数により第２クラッチ５のスリップ極性がプラススリップに移行することを予測する例である。【００７９】
まず、構成を説明する。
［エンジン始動制御演算処理構成］
図１４は、実施例２の統合コントローラ２０にて実行されるEV→HEVモード遷移要求時におけるエンジン始動制御演算処理の流れを示す（エンジン始動制御手段）。以下、図１４に基づき、エンジン始動制御演算処理構成を説明する。
なお、ステップS522〜ステップS529の各ステップは、図１１に示すステップS512〜ステップS519の各ステップと同様の処理を行うステップであるため、説明を省略する。【００８０】
ステップS521では、EV→HEVモード遷移要求、あるいは、ステップS523でのエンジン始動制御中であるとの判断に続き、モータ回転数Nmが、マイナススリップに移行することの予測判定値である所定回転数Nms以上であるか否かを判断する。YES（モータ回転数Nm≧所定回転数Nms）の場合はステップS524へ進み、NO（モータ回転数Nm＜所定回転数Nms）の場合はステップS522へ進む（マイナススリップ検知/予測部）。
なお、「パワートレーン系構成」、「制御システム構成」、「統合コントローラの構成」、「統合制御演算処理構成」の構成は、実施例１と同様であるので、図示並びに説明を省略する。【００８１】
次に、作用を説明する。
［強制バックアップ始動制御の開始条件判断作用］
実施例１では、エンジン始動制御を開始した後、第２クラッチ５のスリップ極性を、スリップ量により直接監視し、スリップ極性がプラススリップからマイナススリップへ移行するのを検知した後のタイミングで強制バックアップ始動制御を開始する例を示した。【００８２】
これに対し、実施例２では、エンジン始動制御を開始した後、第２クラッチ５のスリップ極性がプラススリップからマイナススリップへ移行するのが予測されるタイミングで強制バックアップ始動制御を開始する例としたものである。そこで、どのようにして第２クラッチ５のスリップ極性がプラススリップからマイナススリップへ移行するのを予測するかについて説明する。【００８３】
実施例２でのマイナススリップは、モータ出力可能トルクが、エンジンをクランキング可能なトルク以下であることにより推定する。そして、トルクを演算することなく、モータ回転数のみでマイナススリップの発生を予測する。【００８４】
まず、マイナススリップの推定式は、
Ｔmg≦Ｉeng・dωeng/dt＋Ｔeng_f              …(1)
である。但し、Ｔmg：モータ出力可能トルク、Ｉeng・dωeng/dt：エンジンイナーシャトルク、Ｔeng_f：エンジンフリクショントルク
すなわち、エンジンをクランキング可能なトルクは、エンジンイナーシャトルクとエンジンフリクショントルクの和により得られる。【００８５】
一方、一般的なモータ出力トルク特性は、図１５に示すように、モータ低回転域で高トルクであり、モータ回転数が高くなるほど徐々に出力トルクが低下する特性を示す。
したがって、上記(1)の右辺に示すクランキング時に必要なトルク（エンジンフリクション，イナーシャトルク）をモータ出力下限トルクTmoとすると、図１５に示すモータ出力トルク特性からモータ上限回転数Nmoが決まる。すなわち、図１５のハッチングに示すモータ上限回転数Nmo以上の領域は、モータ出力トルクがクランキング時に必要なトルクに対して不足し、マイナススリップになる可能性が高い領域をあらわす。
そこで、モータ上限回転数Nmoを、マイナススリップの判定基準閾値とし、この判定基準閾値にバラツキを考慮して安全率をかけた値を、マイナススリップに移行することの予測判定値（所定回転数Nms）とする。【００８６】
したがって、実施例２では、エンジン始動制御開始後、モータ回転数条件が不成立（モータ回転数Nm＜所定回転数Nms）との判断から成立（モータ回転数Nm≧所定回転数Nms）との判断へと移行すると、図１４のフローチャートにおいて、ステップS521からステップS524へと進む。そして、ステップS524では、モータ回転数条件が成立し、第２クラッチ５のスリップ極性がマイナススリップになると予測されるタイミングにて第２クラッチ５が完全締結され、強制バックアップ始動制御が開始される。【００８７】
このため、マイナススリップを検知してから強制バックアップ始動制御を開始する実施例１に比べ、エンジン始動制御の開始後、第２クラッチ５のスリップ極性がマイナススリップに移行する状況でのショックが、マイナススリップへの移行に先行して低減される。
なお、他の作用については、実施例１と同様であるので、説明を省略する。【００８８】
次に、効果を説明する。
実施例２のハイブリッド車両の制御装置にあっては、下記の効果を得ることができる。【００８９】
(4) 前記マイナススリップ検知/予測部（ステップS521）は、前記第２クラッチ５への入力回転数である前記モータ（モータジェネレータ２）のモータ回転数Nmが、前記エンジン１をクランキングするのに必要なトルクを出力できなくなる所定回転数Nms以上に達すると、前記第２クラッチ５のスリップ極性がマイナススリップになると予測する（図１４）。
このため、実施例１の(1)〜(3)の効果に加え、マイナススリップへの移行予測により強制バックアップ始動制御が開始されることで、第２クラッチ５のスリップ極性がマイナススリップに移行する状況でのショックを有効に低減することができる。【００９０】
以上、本発明のハイブリッド車両の制御装置を実施例１及び実施例２に基づき説明してきたが、具体的な構成については、これらの実施例に限られるものではなく、特許請求の範囲の各請求項に係る発明の要旨を逸脱しない限り、設計の変更や追加等は許容される。【００９１】
実施例１では、マイナススリップ検知/予測部（ステップS511）として、エンジン始動制御の開始後、第２クラッチ５のスリップ極性がプラススリップからマイナススリップへ現実に移行したことをスリップ量により検知する例を示した。実施例２では、マイナススリップ検知/予測部（ステップS521）として、エンジン始動制御の開始後、第２クラッチ５のスリップ極性がプラススリップからマイナススリップへ移行するであろうことをモータ回転数により予測する例を示した。しかし、マイナススリップ検知/予測部としては、例えば、スリップ量とスリップ量変化勾配を監視し、第２クラッチのスリップ極性がマイナススリップになることをスリップ量により予測する例としても良い。また、マイナススリップ検知/予測部としては、例えば、モータ回転数の判定値を、マイナススリップの判定閾値であるモータ上限回転数Nmoよりも高い値とし、第２クラッチのスリップ極性がマイナススリップになったことをモータ回転数により検知する例としても良い。【００９２】
実施例１では、第２クラッチ５として、自動変速機３に変速締結要素として設けられ、各変速段で締結されるクラッチを流用する例を示した。しかし、第２クラッチとしては、モータと自動変速機の間に独立に設けた専用クラッチを用いる例としても良いし、また、自動変速機と駆動輪の間に独立に設けた専用クラッチを用いる例としても良い。【００９３】
実施例１では、エンジンとモータジェネレータとの間に第１クラッチが介装された１モータ２クラッチタイプのパワートレーン系を持つ後輪駆動のハイブリッド車両に対し適用した例を示した。しかし、１モータ２クラッチタイプのパワートレーン系を持つ前輪駆動のハイブリッド車両に対しても適用することができる。
【関連出願の相互参照】
【００９４】
本出願は、２０１１年１０月２８日に日本国特許庁に出願された特願２０１１−２３７０１０に基づいて優先権を主張し、その全ての開示は完全に本明細書で参照により組み込まれる。
【図１】
2013062124.tif 000003
【図２】
2013062124.tif 000004
【図３】
2013062124.tif 000005
【図４】
2013062124.tif 000006
【図５】
2013062124.tif 000007
【図６】
2013062124.tif 000008
【図７】
2013062124.tif 000009
【図８】
2013062124.tif 000010
【図９】
2013062124.tif 000011
【図１０】
2013062124.tif 000012
【図１１】
2013062124.tif 000013
【図１２】
2013062124.tif 000014
【図１３】
2013062124.tif 000015
【図１４】
2013062124.tif 000016
【図１５】
2013062124.tif 000017
【手続補正書】
【提出日】平成25年1月15日(2013.1.15)
【手続補正１】
【補正対象書類名】特許請求の範囲
【補正対象項目名】全文
【補正方法】変更
【補正の内容】
【特許請求の範囲】
【請求項１】
エンジンと、
モータと、
前記エンジンと前記モータの間に介装される第１クラッチと、
前記モータと駆動輪の間に介装される第２クラッチと、
前記第１クラッチを開放した電気自動車モードでの走行中において、アクセル操作によりハイブリッド車モードへのモード遷移要求があると、エンジン始動制御を開始し、前記第２クラッチのスリップ締結を判定した後、前記第１クラッチの締結を開始し、前記モータをスタータモータとして前記エンジンを始動するエンジン始動制御手段と、を備え、
前記エンジン始動制御手段は、前記エンジン始動制御の開始後であって前記エンジンの始動前に、前記第２クラッチのスリップ極性がプラススリップからマイナススリップへ移行したかどうかを検知または予測するマイナススリップ検知／予測部と、前記第２クラッチのマイナススリップへの移行が検知または予測されると、前記第２クラッチを完全締結状態として前記エンジンを始動する強制バックアップ始動制御部と、を有する
ことを特徴とするハイブリッド車両の制御装置。
【請求項２】
請求項１に記載されたハイブリッド車両の制御装置において、
前記強制バックアップ始動制御部は、前記第２クラッチを完全締結状態として前記エンジンを始動する際、ドライバーからの駆動力要求が減速度要求であるとき、クランキング状態における前記第１クラッチへの伝達トルクを相殺する前記モータからのカウンタートルクを、前記第１クラッチへの伝達トルクよりも小さくする
ことを特徴とするハイブリッド車両の制御装置。
【請求項３】
請求項１または２に記載されたハイブリッド車両の制御装置において、
前記強制バックアップ始動制御部は、前記第２クラッチを完全締結状態として前記エンジンを始動する際、ドライバーからの駆動力要求が減速度要求であるとき、前記第１クラッチを締結させる締結トルク指令に変化率制限を設ける
ことを特徴とするハイブリッド車両の制御装置。
【請求項４】
請求項１から３までの何れか１項に記載されたハイブリッド車両の制御装置において、
前記マイナススリップ検知／予測部は、前記第２クラッチへの入力回転数である前記モータのモータ回転数が、前記エンジンをクランキングするのに必要なトルクを出力できなくなる所定回転数以上に達すると、前記第２クラッチのスリップ極性がマイナススリップになると予測する
ことを特徴とするハイブリッド車両の制御装置。
【手続補正２】
【補正対象書類名】明細書
【補正対象項目名】０００２
【補正方法】変更
【補正の内容】
【０００２】
イバーによる駆動要求がないようなショックを感じやすい状況であるため、スリップ極性の変化を原因として唐突に発生するショックに対する低減要求が高い。
ここで、「プラススリップ」とは、第２クラッチの入力回転数が出力回転数より高い差回転状態をいい、「マイナススリップ」とは、逆に第２クラッチの出力回転数が入力回転数より高い差回転状態をいう。
［０００６］
本発明は、上記問題に着目してなされたもので、エンジン始動制御の開始後、第２クラッチのスリップ極性がマイナススリップに移行するとき、ショックの発生を防止することができるハイブリッド車両の制御装置を提供することを目的とする。
課題を解決するための手段
［０００７］
上記目的を達成するため、本発明のハイブリッド車両の制御装置は、エンジンと、モータと、第１クラッチと、第２クラッチと、エンジン始動制御手段と、を備える。
前記第１クラッチは、前記エンジンと前記モータの間に介装される。
前記第２クラッチは、前記モータと駆動輪の間に介装される。
前記エンジン始動制御手段は、前記第１クラッチを開放した電気自動車モードでの走行中において、目標駆動力が正トルクかつアクセル操作によりハイブリッド車モードへのモード遷移要求があると、エンジン始動制御を開始し、前記第２クラッチのスリップ締結を判定した後、前記第１クラッチの締結を開始し、前記モータをスタータモータとして前記エンジンを始動する。
前記エンジン始動制御手段には、マイナススリップ検知／予測部と、強制バックアップ始動制御部と、を有する。
前記マイナススリップ検知／予測部は、前記エンジン始動制御の開始後であって前記エンジンの始動前に、前記第２クラッチのスリップ極性がプラススリップからマイナススリップへ移行したかどうかを検知または予測する。
前記強制バックアップ始動制御部は、前記第２クラッチのマイナススリップへの移行が検知または予測されると、前記第２クラッチを完全締結状態と
【国際調査報告】
2013062124.tif 000018
2013062124.tif 000019
2013062124.tif 000020
2013062124.tif 000021